(57)【要約】【課題】コスト高をもたらす専用線を用いることなく、携帯電話通信網１０上の携帯電話機４０とＬＡＮ上のＬＡＮ端末との間でメッセージ送受信ができるようにする。【解決手段】携帯電話機４０からＬＡＮ２０上の特定のパソコン２１Ａにメッセージを送信するとき、そのパソコンを指定して携帯電話機４０から通信中継装置３０へメッセージデータを送信し、通信中継装置３０において携帯電話機４０からのメッセージデータを着信したとき通信プロトコルを変換してメッセージデータをパソコンに転送する。一方、ＬＡＮ２０上のパソコン２１Ａから特定の携帯電話機４０にメッセージを送信するとき、携帯電話機４０を指定してパソコン２１Ａから通信中継装置３０へメッセージデータを送信し、通信中継装置３０においてパソコンからのメッセージデータを着信したとき通信プロトコルを変換してメッセージデータを携帯電話機４０に転送する。【選択図】  図１
2004282280.tif 000002
【特許請求の範囲】
【請求項１】
専用の通信プロトコルを用いる無線通信ネットワーク上の無線通信端末と、汎用の通信プロトコルを用いるＬＡＮ上のＬＡＮ端末との間で、メッセージデータの送受信を行うためのメッセージ通信方法であって、
該無線通信ネットワーク上で識別するための無線通信ネットワーク用の端末識別情報と該ＬＡＮ上で識別するためのＬＡＮ用の端末識別情報とがそれぞれ設定された通信中継装置を、該無線通信ネットワーク上の無線通信端末及び該ＬＡＮ上のＬＡＮ端末それぞれからのメッセージデータを着信可能な待機状態にしておき、
該無線通信ネットワーク上の無線通信端末から該ＬＡＮ上の特定のＬＡＮ端末にメッセージを送信するとき、該無線通信ネットワーク用の端末識別情報に基づいて、該特定のＬＡＮ端末を指定して該無線通信端末から該通信中継装置へメッセージデータを送信し、
該通信中継装置において該無線通信端末からのメッセージデータを着信したとき通信プロトコルを変換して該メッセージデータを該特定のＬＡＮ端末に転送し、
該ＬＡＮ上のＬＡＮ端末から該無線通信ネットワーク上の特定の無線通信端末にメッセージを送信するとき、該ＬＡＮ用の端末識別情報に基づいて、該特定の無線通信端末を指定して該ＬＡＮ端末から該通信中継装置へメッセージデータを送信し、
該通信中継装置において該ＬＡＮ端末からのメッセージデータを着信したとき通信プロトコルを変換して該メッセージデータを該特定の無線通信端末に転送することを特徴とするメッセージ通信方法。
【請求項２】
請求項１のメッセージ通信方法において、
上記メッセージを送信するとき、上記特定のＬＡＮ端末又は上記特定の無線通信端末に関する宛先情報をメッセージ本文に記述し、
上記通信中継装置において、該メッセージ本文中の宛先情報に基づいて上記メッセージデータを該特定のＬＡＮ端末又は該特定の無線通信端末へ転送することを特徴とするメッセージ通信方法。
【請求項３】
専用の通信プロトコルを用いる無線通信ネットワーク上の無線通信端末と汎用の通信プロトコルを用いるＬＡＮ上のＬＡＮ端末との間でメッセージデータの送受信を行うための通信を中継する通信中継装置であって、
該無線通信ネットワーク上で識別するための無線通信ネットワーク用の端末識別情報が予め設定され該無線通信ネットワーク上の無線通信端末からのメッセージデータを着信可能に構成された無線通信手段と、
該ＬＡＮ上で識別するためのＬＡＮ用の端末識別情報が予め設定され該ＬＡＮからメッセージデータを着信可能に構成されたＬＡＮ用通信手段と、
該無線通信ネットワーク上の無線通信端末から該ＬＡＮ上の特定のＬＡＮ端末へのメッセージデータを着信したとき通信プロトコルを変換して該メッセージデータを該特定のＬＡＮ端末に転送し、該ＬＡＮ上のＬＡＮ端末から該無線通信ネットワーク上の無線通信端末へのメッセージデータを着信したとき通信プロトコルに変換して該メッセージデータを該特定の無線通信端末に転送する通信制御手段とを設けたことを特徴とする通信中継装置。
【請求項４】
請求項３の通信中継装置において、
上記メッセージデータのメッセージ本文中に記述されている宛先情報に基づいて該メッセージデータを上記特定のＬＡＮ端末又は上記特定の無線通信端末へ転送するように、上記通信制御手段を構成したことを特徴とする通信中継装置。
【請求項５】
専用の通信プロトコルを用いる無線通信ネットワーク上の無線通信端末と、汎用の通信プロトコルを用いるＬＡＮ上のＬＡＮ端末との間で、メッセージデータの送受信を行うためのメッセージ通信システムであって、
該無線通信ネットワークと、該ＬＡＮと、請求項３又は４の通信中継装置とを組み合わせて構成したことを特徴とするメッセージ通信システム。
【発明の詳細な説明】
【０００１】
【発明の属する技術分野】
本発明は、無線通信ネットワークで用いる携帯電話機等の無線通信端末と、オフィス等で構築されているＬＡＮのＬＡＮ端末との間でメッセージデータの送受信を行うためのメッセージ通信方法及びそのシステム並びにそのメッセージ通信システムに用いる通信中継装置に関するものである。
【０００２】
【従来の技術】
従来、無線通信ネットワークとしての携帯電話通信網と、オフィス等で構築されているＬＡＮ（ローカルエリアネットワーク）との間を専用回線で結び、この専用回線を介してメッセージの通信を行うメッセージ通信方法が知られている。
図６は、従来の携帯電話通信網１０に固有のサービスであるＳＭＳ（ショートメッセージサービス）を利用するメッセージ通信方法を実施するためのメッセージ通信システムの一例を示すブロック図である。このメッセージ通信システムでは、ＳＭＳ用サーバ１３を有する携帯電話通信網１０が専用線５０やルータ１４等を介してＬＡＮ２０に接続されている。パソコン２１Ａ，２１Ｂから携帯電話通信網１０上の携帯電話機４０にメールを送信するときは、ＬＡＮ２０上の汎用の通信プロトコルを用いてパソコン２１Ａ，２１Ｂからメールデータが送信される。このメールデータは、ルータ２２や専用線５０を介して携帯電話通信網１０上のＳＭＳ用サーバ１３に転送されて一旦保存される。このＳＭＳ用サーバ１３は、メールデータに付加されている電話番号等に基づいて、メールデータを送信先の携帯電話機４０にＳＭＳメールとして転送する。これにより、携帯電話機４０は、各パソコン２１Ａ，２１Ｂから送信されてきたメールをＳＭＳメールとして受信することができる。
【０００３】
【発明が解決しようとする課題】
ところが、上記従来のメッセージ通信方法及びそのシステムでは、携帯電話通信網から専用線を引き出してオフィス等に構築されているＬＡＮに接続する必要があった。更に、その専用線を介したメッセージ通信を行うための専用の通信システムを、携帯電話通信網内及びＬＡＮ内のぞれぞれに構築する必要があった。そのため、上記携帯電話通信網から専用線を引き出すための携帯電話事業者との契約や専用の通信システムの構築に多額の費用が発生するという問題点があった。
【０００４】
本発明は以上の問題点に鑑みなされたものである。その目的は、コスト高をもたらす専用線を用いることなく、無線通信ネットワーク上の無線通信端末とＬＡＮ上のＬＡＮ端末との間でメッセージ送受信が可能になるメッセージ通信方法及びそのシステム並び通信中継装置を提供することである。
【０００５】
【課題を解決するための手段】
上記目的を達成するために、請求項１の発明は、専用の通信プロトコルを用いる無線通信ネットワーク上の無線通信端末と、汎用の通信プロトコルを用いるＬＡＮ上のＬＡＮ端末との間で、メッセージデータの送受信を行うためのメッセージ通信方法であって、該無線通信ネットワーク上で識別するための無線通信ネットワーク用の端末識別情報と該ＬＡＮ上で識別するためのＬＡＮ用の端末識別情報とがそれぞれ設定された通信中継装置を、該無線通信ネットワーク上の無線通信端末及び該ＬＡＮ上のＬＡＮ端末それぞれからのメッセージデータを着信可能な待機状態にしておき、該無線通信ネットワーク上の無線通信端末から該ＬＡＮ上の特定のＬＡＮ端末にメッセージを送信するとき、該無線通信ネットワーク用の端末識別情報に基づいて、該特定のＬＡＮ端末を指定して該無線通信端末から該通信中継装置へメッセージデータを送信し、該通信中継装置において該無線通信端末からのメッセージデータを着信したとき通信プロトコルを変換して該メッセージデータを該特定のＬＡＮ端末に転送し、該ＬＡＮ上のＬＡＮ端末から該無線通信ネットワーク上の特定の無線通信端末にメッセージを送信するとき、該ＬＡＮ用の端末識別情報に基づいて、該特定の無線通信端末を指定して該ＬＡＮ端末から該通信中継装置へメッセージデータを送信し、該通信中継装置において該ＬＡＮ端末からのメッセージデータを着信したとき通信プロトコルを変換して該メッセージデータを該特定の無線通信端末に転送することを特徴とするものである。
また、請求項２の発明は、請求項１のメッセージ通信方法において、上記メッセージを送信するとき、上記特定のＬＡＮ端末又は上記特定の無線通信端末に関する宛先情報をメッセージ本文に記述し、上記通信中継装置において、該メッセージ本文中の宛先情報に基づいて上記メッセージデータを該特定のＬＡＮ端末又は該特定の無線通信端末へ転送することを特徴とするものである。
また、請求項３の発明は、専用の通信プロトコルを用いる無線通信ネットワーク上の無線通信端末と汎用の通信プロトコルを用いるＬＡＮ上のＬＡＮ端末との間でメッセージデータの送受信を行うための通信を中継する通信中継装置であって、該無線通信ネットワーク上で識別するための無線通信ネットワーク用の端末識別情報が予め設定され該無線通信ネットワーク上の無線通信端末からのメッセージデータを着信可能に構成された無線通信手段と、該ＬＡＮ上で識別するためのＬＡＮ用の端末識別情報が予め設定され該ＬＡＮからメッセージデータを着信可能に構成されたＬＡＮ用通信手段と、該無線通信ネットワーク上の無線通信端末から該ＬＡＮ上の特定のＬＡＮ端末へのメッセージデータを着信したとき通信プロトコルを変換して該メッセージデータを該特定のＬＡＮ端末に転送し、該ＬＡＮ上のＬＡＮ端末から該無線通信ネットワーク上の無線通信端末へのメッセージデータを着信したとき通信プロトコルに変換して該メッセージデータを該特定の無線通信端末に転送する通信制御手段とを設けたことを特徴とするものである。
また、請求項４の発明は、請求項３の通信中継装置において、上記メッセージデータのメッセージ本文中に記述されている宛先情報に基づいて該メッセージデータを上記特定のＬＡＮ端末又は上記特定の無線通信端末へ転送するように、上記通信制御手段を構成したことを特徴とするものである。
また、請求項５の発明は、専用の通信プロトコルを用いる無線通信ネットワーク上の無線通信端末と、汎用の通信プロトコルを用いるＬＡＮ上のＬＡＮ端末との間で、メッセージデータの送受信を行うためのメッセージ通信システムであって、該無線通信ネットワークと、該ＬＡＮと、請求項３又は４の通信中継装置とを組み合わせて構成したことを特徴とするものである。
【０００６】
ここで、上記「メッセージデータ」には、テキストや画像からなるメッセージデータのほか、音声等の音情報からなるメッセージデータも含まれる。
また、上記「無線通信端末」には、ＰＤＣ（Ｐｅｒｓｏｎａｌ  Ｄｉｇｉｔａｌ  Ｃｅｌｌｕｌａｒ）方式、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）方式、ＴＩＡ（Ｔｅｌｅｃｏｍｍｕｎｉｃａｔｉｏｎｓ  Ｉｎｄｕｓｔｒｙ  Ａｓｓｏｃｉａｔｉｏｎ）方式等の携帯電話機が含まれる。また、この「無線通信端末」には、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００で標準化された携帯電話機、ＰＨＳ（Ｐｅｒｓｏｎａｌ  Ｈａｎｄｙｐｈｏｎｅ  Ｓｅｒｖｉｃｅ）、自動車電話等の電話機のほか、携帯電話モジュールを付加した情報通信端末も含まれる。
上記「ＬＡＮ」（Ｌｏｃａｌ  Ａｒｅａ  Ｎｅｔｗｏｒｋ）は、同一フロア、同一のビル、近隣のビル内などの比較的限られた場所にあるコンピュータ、プリンター、サーバ等を、イーサネット（登録商標）などの比較的高速なデータ転送能力を持つ方法で互いに接続したネットワークである。この「ＬＡＮ」としては、有線のみで構築したＬＡＮ、無線のみで構築したＬＡＮ、有線と無線とを組み合わせて構築したＬＡＮ等がある。
上記「ＬＡＮ端末」としては、固定式のパーソナルコンピュータのほか、携帯型のパーソナルコンピュータも含まれ、ＬＡＮに接続して通信可能なものであればどのような端末でもよい。
【０００７】
請求項１のメッセージ通信方法では、無線通信ネットワーク用の端末識別情報とＬＡＮ用の端末識別情報とがそれぞれ設定された通信中継装置が、無線通信端末及びＬＡＮ端末それぞれからのメッセージデータを着信可能な待機状態になっている。
無線通信ネットワーク上の無線通信端末からＬＡＮ上の特定のＬＡＮ端末にメッセージを送信するときは、無線通信ネットワーク用の端末識別情報に基づいて、特定のＬＡＮ端末の指定してメッセージデータを通信中継装置へ送る。この通信中継装置がメッセージデータを着信すると、無線通信ネットワークに用いる専用の通信プロトコルからＬＡＮで用いる汎用の通信プロトコルに変換し、ＬＡＮ上の特定のＬＡＮ端末宛にメッセージデータを転送する。
一方、ＬＡＮ上のＬＡＮ端末から無線通信ネットワーク上の特定の無線通信端末にメッセージを送信するときは、ＬＡＮ用の端末識別情報に基づいて、特定の無線通信端末を指定してメッセージデータを通信中継装置へ送る。この通信中継装置がメッセージデータを着信すると、ＬＡＮで用いる汎用の通信プロトコルから無線通信ネットワークで用いる専用の通信プロトコルに変換し、無線通信ネットワーク上の特定の無線通信端末宛にメッセージデータを転送する。
以上のように、各ネットワークからのメッセージデータが着信可能な待機状態にある通信中継装置を経由して、無線通信端末とＬＡＮ端末との間でメッセージデータの送受信ができるようになるため、無線通信ネットワークとＬＡＮとの間を結ぶ専用線が不要となる。
【０００８】
請求項２のメッセージ通信方法では、通信中継装置において、メッセージ本文中に記述されている宛先情報に基づいてメッセージデータをＬＡＮ端末又は無線通信端末へ転送することができる。このようにメッセージ本文中の宛先情報を利用できるため、宛先情報を組み込むための制御データ領域を確保する必要がない。
【０００９】
請求項３の通信中継装置の無線通信手段は、上記無線通信ネットワークに対する通信を行う手段として用いることができる。すなわち、この無線通信手段は、無線通信ネットワーク用の端末識別情報が予め設定され無線通信ネットワーク上の無線通信端末からのメッセージデータを着信可能な手段として用いることができる。
また、同通信中継装置のＬＡＮ用通信手段は、上記ＬＡＮに対する通信を行う手段として用いることができる。すなわち、このＬＡＮ用通信手段は、ＬＡＮ用の端末識別情報が予め設定されＬＡＮ上のＬＡＮ端末からのメッセージデータを着信可能な手段として用いることができる。
また、同通信中継装置の通信制御手段は、上記通信プロトコル変換と上記メッセージデータ転送を行う手段として用いることができる。すなわち、この通信制御手段は、無線通信端末から特定のＬＡＮ端末宛のメッセージデータを着信したとき、無線通信ネットワークで用いる専用の通信プロトコルをＬＡＮ上の汎用の通信プロトコルに変換し、そのメッセージデータを送信先である特定のＬＡＮ端末に転送する。また、この通信制御手段は、ＬＡＮ端末から特定の無線通信端末宛のメッセージデータを着信したとき、ＬＡＮ上の汎用の通信プロトコルを無線通信ネットワークで用いる専用の通信プロトコルに変換し、そのメッセージデータを送信先である特定の無線通信端末に転送する。
【００１０】
請求項４の通信中継装置の通信制御手段は、上記メッセージデータのメッセージ本文中に記述されている宛先情報に基づいて、そのメッセージデータを送信先である特定のＬＡＮ端末又は無線通信端末へ転送する手段として用いることができる。
【００１１】
【発明の実施の形態】
以下、本発明の実施の形態を図面を参照しながら説明する。
図１は本発明の実施形態に係るメッセージ通信方法を実現可能なメッセージ通信システムの概略構成図である。このメッセージ通信システムは、無線通信ネットワークとしての携帯電話通信網１０と、ＬＡＮ（ローカルエリアネットワーク）２０と、通信中継装置３０とを用いて構築され、携帯電話通信網１０とＬＡＮ２０との間でメールをやり取りするシステムである。
【００１２】
携帯電話通信網１０は、無線通信端末としての携帯電話機４０を用いて図示しない基地局１１や交換機１２のほか、携帯電話機４０によるメール通信を行うためのＳＭＳ用サーバ１３等の各種サーバを備えている。ＳＭＳ用サーバ１３は、携帯電話通信網１０を介して携帯電話機４０間で１００〜２００字の比較的短いテキストメッセージを送受信できるＳＭＳ（ショートメッセージサービス）を提供するためのサーバである。このＳＭＳ用サーバ１３は単一のサーバ装置で構成される場合のほか、複数のサーバ装置からなるサーバ群として構成される場合もある。携帯電話通信網１０におけるＳＭＳメールの送受信には、専用の通信プロトコル（以下「ＳＭＳ用の通信プロトコル」という。）が使用される。
【００１３】
ＬＡＮ２０は、ＬＡＮ端末としてのパーソナルコンピュータ（以下「パソコン」という）２１Ａ，２１Ｂ間の通信や、パソコン２１Ａ，２１Ｂと各種サーバとの間の通信を行うことができるように、ＨＵＢ２２やイーサネット（登録商標）ケーブル２３等を用いてオフィス等に構築されたローカルエリアネットワークである。このＬＡＮ２０におけるメールの送受信には、ＳＭＴＰ（Ｓｉｍｐｌｅ  Ｍａｉｌ  Ｔｒａｎｓｆｅｒ  Ｐｒｏｔｏｃｏｌ）、ＰＯＰ（Ｐｏｓｔ  Ｏｆｆｉｃｅ  Ｐｒｏｔｏｃｏｌ）等の汎用の通信プロトコルが使用される。
【００１４】
図２は、本実施形態における通信中継装置３０の一構成例を示すブロック図である。この通信中継装置３０は、携帯電話モジュール３１と、ＡＴコマンド処理部３２と、ＬＡＮ用通信手段としてのＬＡＮインターフェース部３３とを備えている。
ＡＴコマンド処理部３２は、ＣＰＵ、メモリ等で構成され、ＡＴコマンドの通信プロトコルと、ＬＡＮ２０で使用されるＳＭＴＰ、ＰＯＰ等のメール送受信用の通信プロトコルとの間のプロトコル変換を行う。また、このＡＴコマンド処理部３２は、メッセージデータとしてのメールデータに付加された宛先情報と、パソコンのＬＡＮ用の端末識別情報（ＭＡＣアドレスやＩＰアドレス等）とを対応付けたテーブルに基づいてメールデータを転送する処理を行う。
ＬＡＮインターフェース部３３は、ＬＡＮ２０に対して、アプリケーション層よりも下のネットワーク階層レベルでのインターフェース処理を行う。ＬＡＮインターフェース部３３は、ＬＡＮ用の端末識別情報（ＭＡＣアドレスやＩＰアドレス等）が予め設定され、ＬＡＮ２０上のメールデータを着信可能に構成されている。
【００１５】
図３は、携帯電話モジュール３１の内部構成の一例を示すブロック図である。携帯電話モジュール３１は、通常の携帯電話機４０と同様に携帯電話通信網１０上の一端末として機能する。この携帯電話モジュール３１は、無線通信手段としての無線通信部３１１、情報処理部３１２、記憶手段としての内部メモリ３１３、モデム部３１４、インターフェース３１５、電源回路３１６などを備えている。無線通信部３１１に対しては、携帯電話通信網１０上で識別するための固有の電話番号（無線通信ネットワーク用の端末識別情報）が予め設定されている。この無線通信部３１１は、他の携帯電話機４０から上記電話番号を指定してＳＭＳメールが送られてきたり電話がかかったときに、携帯電話通信網１０を介してＳＭＳメールや電話を着信することができるように構成されている。インターフェース３１５は、上記ＡＴコマンド処理部３２との間で、ＡＴコマンドのプロトコルで通信するためのシリアルインターフェースである。
【００１６】
なお、上記携帯電話モジュール３１としては、通常の携帯電話機をそのまま使用し、携帯電話機の共通仕様の外部端子を介して上記ＡＴコマンド処理部３２と通信するようにしてもよい。また、上記ＡＴコマンド処理部３２との間の通信プロトコルとしては、携帯電話機の共通仕様である１６芯インターフェースのプロトコルを用いてもよい。
【００１７】
上記通信中継装置３０における通信プロトコルの変換とメールデータの転送処理とを行う通信制御手段は、携帯電話モジュール３１内の情報処理部３１２、内部メモリ３１３、モデム部３１４及びインターフェース３１５並びにＡＴコマンド処理部３２で構成されている。
【００１８】
図４は、本実施形態における携帯電話機４０からＬＡＮ２０上の特定のパソコン２１Ａへメールを送るときのシーケンス図である。
携帯電話機４０からパソコン２１ＡにＳＭＳメールを送る場合、まず、携帯電話機４０においてメール本文を作成し、通信中継装置３０の携帯電話モジュール３１の電話番号宛に、ＳＭＳメールとして送信する。
上記ＳＭＳメールは、携帯電話通信網１０の基地局１１及び交換機１２を経由してＳＭＳ用サーバ１３に送られ、通常の携帯電話機間でのＳＭＳメールの処理と同じ方法で処理される。
ＳＭＳ用サーバ１３に届いたＳＭＳメールは、交換機１２及び基地局１１を経由して通信中継装置３０の携帯電話モジュール３１へ転送される。
基地局１１からＳＭＳ用サーバ１３を受信した通信中継装置３０の携帯電話モジュール３１では、受信したＳＭＳメールの通信プロトコルをＡＴコマンドを利用した通信プロトコルに変換し、ＡＴコマンド処理部３２へ出力する。
【００１９】
ＡＴコマンド処理部３２では、ＡＴコマンドを用いたプロトコルをＰＯＰ等のＬＡＮ用の通信プロトコルに変換するとともに、メールデータをＬＡＮ２０内で受信可能なメールとして転送する。このＡＴコマンド処理部３２で転送されたＳＭＳメールのデータはＬＡＮインターフェース部３３から出力され、ＬＡＮ２０上のＨＵＢ２２等を経由して送信先のパソコン２１Ａに届く。パソコン２１Ａは、携帯電話機４０から送信されてきたＳＭＳメールを、ＬＡＮ２０内で送受信されるメールのように受信することができる。
【００２０】
ここで、携帯電話機４０からＬＡＮ２０内の特定のパソコン２１へＳＭＳメールを送信する場合には、携帯電話モジュール３１の電話番号を宛先として送信するため、パソコン２１Ａ，２１Ｂのどちらにメールを送るべきか不明な場合がある。そこで、本実施形態では、送信先のパソコン２１Ａを指定できるように、携帯電話機４０から送信するＳＭＳメールのメール本文中に宛先情報を記載している。なお、メール本文中に宛先情報を記載する代わりに、メールデータの制御データ領域のうち通信事業者用領域の中に、送信先のパソコン２１Ａを指定する宛先情報を入れるようにしても構わない。
【００２１】
図５は、本実施形態におけるＬＡＮ２０上のパソコン２１Ａから特定の携帯電話機４０へメールを送るときのシーケンス図である。
パソコン２１Ａから携帯電話機４０宛にＳＭＳメールとして送る場合、まず、パソコン２１Ａで起動したメールソフトのメール作成画面でメール本文を作成し、宛先として携帯電話機４０を指定し、メールを送信する。例えば、メール作成画面の宛先の欄に携帯電話機４０の電話番号を入力してメールを送信する。ＬＡＮ２０上のＨＵＢ２２等を介するため、通信中継装置３０のＬＡＮインターフェース部３３の指定が必要となる場合もある。
上記メールを受信した通信中継装置３０のＡＴコマンド処理部３２は、メールの通信プロトコルをＡＴコマンドを利用した通信プロトコルに変換し、携帯電話モジュール３１へ出力する。
携帯電話モジュール３１は、ＡＴコマンド処理部３２から受けたメールデータの通信プロトコルをＳＭＳメールの通信プロトコルに変換し、携帯電話機４０へ向けてメールデータを転送する。
携帯電話モジュール３１から送信されたメールは、携帯電話通信網１０の基地局１１及び交換機１２を経由してＳＭＳ用サーバ１３に送られ、通常の携帯電話機間でのＳＭＳメールの処理と同じ方法で処理される。ＳＭＳ用サーバ１３に届いたＳＭＳメールは、交換機１２及び基地局１１を経由して送信先の携帯電話機４０へ転送される。
携帯電話機４０は、パソコン２１Ａから送信されてきたメールを、通常のＳＭＳメールのように受信することができる。
【００２２】
以上、本実施形態によれば、携帯電話通信網１０及びＬＡＮ２０それぞれからのメールが着信可能な待機状態にある通信中継装置３０を経由して、携帯電話機４０とパソコン２１Ａ，２１Ｂとの間でＳＭＳメールの送受信ができるようになる。したがって、携帯電話通信網１０内のシステムからＬＡＮ２０側へ専用線を引くことなく、さらに専用のサーバやルータ等を設ける必要もない。
また、本実施形態によれば、通信中継装置３０において、メール本文中に記述されている宛先情報に基づいてメールデータをパソコン２１Ａ，２１Ｂ又は携帯電話機４０へ転送することができる。このようにメール本文中の宛先情報を利用できるため、宛先情報を組み込むための制御データ領域を確保する必要がない。従来のメールデータのデータフォーマットを修正せずにそのまま使用することができる。
【００２３】
なお、上記実施形態では、携帯電話通信網１０上のメッセージデータがＳＭＳメールのデータである場合について説明したが、本発明は、ＬＡＮ上の通信プロトコルとは異なる通信プロトコルを用いる他のメッセージデータについても同様に適用できるものである。例えば、予め記録しておいた音声のメッセージデータを送受信する場合や、電話のようにリアルタイムで音声からなるメーセージデータを送受信する場合にも適用できるものである。
また、上記実施形態では、通信中継装置３０と各パソコン２１Ａ，２１Ｂとの間でメールデータを直接送受信しているが、ＬＡＮ２０内に設けたメールサーバを介してメールデータを送受信するようにしてもよい。
また、上記実施形態では、無線通信端末が携帯電話機の場合について説明したが、本発明は、ＰＨＳや自動車電話等の他の無線通信端末を用いる場合にも同様に適用できるものである。
【００２４】
【発明の効果】
請求項１乃至５の発明によれば、各ネットワーク用の端末識別情報がそれぞれ設定された通信中継装置を経由して、無線通信ネットワークとＬＡＮとの間でメッセージデータを転送できる。したがって、コスト高をもたらす専用線を用いなくても、無線通信ネットワーク上の無線通信端末とＬＡＮ上のＬＡＮ端末との間でメッセージ送受信が可能になるという効果がある。
特に、請求項２及び４の発明によれば、メッセージデータ中に、宛先情報を組み込むための制御データ領域を確保する必要がないので、従来のメッセージデータのデータフォーマットを修正せずにそのまま使用することができるという効果がある。
【図面の簡単な説明】
【図１】本発明の実施形態に係るメッセージ通信システムの概略構成図。
【図２】同メッセージ通信システムを構成する通信中継装置の一構成例を示すブロック図。
【図３】同通信中継装置の携帯電話モジュールの内部構成の一例を示すブロック図。
【図４】携帯電話機からＬＡＮ上の特定のパソコンへメールを送るときのシーケンス図。
【図５】ＬＡＮ上のパソコンから特定の携帯電話機へメールを送るときのシーケンス図
【図６】従来のメッセージ通信システムの一例を示すブロック図。
【符号の説明】
１０  携帯電話通信網（無線通信ネットワーク）
１１  基地局
１２  交換機
１３  ＳＭＳ用サーバ
２０  ＬＡＮ
２１Ａ、２１Ｂ  パソコン（ＬＡＮ端末）
２２  ＨＵＢ
２３  イーサネット（登録商標）ケーブル
３０  通信中継装置
３１  携帯電話モジュール
３２  ＡＴコマンド処理部
３３  ＬＡＮインターフェース部
４０  携帯電話機（無線通信端末）
３１１  無線通信部
３１２  情報処理部
３１３  内部メモリ
３１４  モデム部
３１５  インターフェース
【図１】
2004282280.tif 000003
【図２】
2004282280.tif 000004
【図３】
2004282280.tif 000005
【図４】
2004282280.tif 000006
【図５】
2004282280.tif 000007
【図６】
2004282280.tif 000008